(57)【要約】【課題】保冷剤等の備品類を安定的に収容するための備品収納用のスペースを容易且つ安価に形成できる包装用紙箱を提供することを課題としている。【解決手段】底壁２と天井壁６と前後左右の周壁４からなる壁部を一連に備え、各壁部の境界となる折目を内側に折曲げて立方体状又は直方体状の箱に組立て固定する包装用紙箱であって、上記壁部のいずれか又は相対する２つの壁部の端部に、フラップ状の収納壁１２を当該壁部の内側に重なり合うように折曲げ可能に連設し、上記収納壁１２の自由端を箱の内面側に固定し、箱の組立てにより上記１又は２の壁部内面との間に保冷剤その他の備品を収納する空間からなる収納部１１を形成するように、収納壁１２の前後端側に折目を付した。【選択図】図１
0003179427.tif 000002
【実用新案登録請求の範囲】
【請求項１】
底壁（２）と天井壁（６）と前後左右の周壁（４）からなる壁部を一連に備え、各壁部の境界となる折目を内側に折曲げて立方体状又は直方体状の箱に組立て固定する包装用紙箱であって、上記壁部のいずれか又は相対する２つの壁部の端部に、フラップ状の収納壁（１２）を当該壁部の内側に重なり合うように折曲げ可能に連設し、上記収納壁（１２）の自由端を箱の内面側に固定し、箱の組立てにより上記１又は２の壁部内面との間に保冷剤その他の備品を収納する空間からなる収納部（１１）を形成するように、収納壁（１２）に端部側に折目を付した包装用紙箱。
【請求項２】
収納壁（１２）の自由端側を箱内面に接着固定するためののり代（２９）を形成し、該のり代（２９）を箱の内面側に接着固定する請求項１に記載の包装用紙箱。
【請求項３】
収納部（１１）の端部に収納部（１１）への備品を挿入する挿入窓（１３）を形成した請求項１又は２に記載の包装用紙箱。
【請求項４】
壁部に連設した収納壁（１２）の連設端側に、収納部（１１）への備品を挿入する挿入窓（１３）を切込み形成した請求項１乃至３の何れかに記載の包装用紙箱。
【請求項５】
挿入窓（１３）が箱組立状態では前後左右何れかの周壁（４）によって覆われる請求項３又は４に記載の包装用紙箱。
【請求項６】
収納壁（１２）には収納部（１１）と箱内のケーキ類収納スペース（Ｓ）との間の通気性を確保する通気孔（１４）を設けてなる請求項１乃至５の何れかに記載の包装用紙箱。
【請求項７】
天井壁（６）には上向きに折曲げ起立可能な把手（１６）を一部切残して半抜き形成して設けた請求項１乃至６の何れかに記載の包装用紙箱。
【請求項８】
把手（１６）を起立させることによって形成される切抜孔（２６）を、ケーキ類を出し入れする箱の開口部（８）を覆う前後の周壁（４）の端部に折曲げ可能に連設した接合フラップ（２３）を差し込むことによって塞ぐ構造とした請求項７に記載の包装用紙箱。
【請求項９】
把手（１６）を起立させることによって形成される切抜孔（２６）を天井壁（６）の内面より塞ぐ遮蔽シートを貼付けてなる請求項７に記載の包装用紙箱。
【考案の詳細な説明】
【技術分野】
【０００１】
本考案は、備品を収納する空間からなる収納部が形成された包装用紙箱に関する。
【背景技術】
【０００２】
従来、底壁と天井壁と前後左右の周壁からなる壁部を一連に備え、各壁部の境界となる折目を内側に折曲げて立方体状又は直方体状の箱に組立て固定される包装用紙箱に、保冷剤を収納する空間からなる収納部を形成した特許文献１に示される包装用紙箱が公知となっている。
【先行技術文献】
【特許文献】
【０００３】
【特許文献１】特開２００５−５３５３９号公報
【考案の概要】
【考案が解決しようとする課題】
【０００４】
上記文献の包装用紙箱は、シート状部材の周縁側を一方向のみ開放した状態となるように天井面に固着させることによりスペースを形成し、天井内面とシート状部材との間に保冷剤等の備品を収納できる利点がある反面、保冷剤等の収納スペースを形成するためには、周壁や天井内面にスペースを形成するためのシート状部材を別途に用意して貼付する必要があるため、コストと手間がかかるという問題があった。
【０００５】
本考案は、保冷剤等の備品類を安定的に収容するための備品収納用のスペースを容易且つ安価に形成できる包装用紙箱を提供することを課題としている。
【課題を解決するための手段】
【０００６】
上記課題を解決するため第１に、底壁２と天井壁６と前後左右の周壁４からなる壁部を一連に備え、各壁部の境界となる折目を内側に折曲げて立方体状又は直方体状の箱に組立て固定する包装用紙箱であって、上記壁部のいずれか又は相対する２つの壁部の端部に、フラップ状の収納壁１２を当該壁部の内側に重なり合うように折曲げ可能に連設し、上記収納壁１２の自由端を箱の内面側に固定し、箱の組立てにより上記１又は２の壁部内面との間に保冷剤その他の備品を収納する空間からなる収納部１１を形成するように、収納壁１２の端部側に折目を付したことを特徴としている。
【０００７】
第２に、収納壁１２の自由端側を箱内面に接着固定するためののり代２９を形成し、該のり代２９を箱の内面側に接着固定することを特徴としている。
【０００８】
第３に、収納部１１の端部に収納部１１への備品を挿入する挿入窓１３を形成したことを特徴としている。
【０００９】
第４に、壁部に連設した収納壁１２の連設端側に、収納部１１への備品を挿入する挿入窓１３を切込み形成したことを特徴としている。
【００１０】
第５に、挿入窓１３が箱組立状態では前後左右何れかの周壁４によって覆われることを特徴としている。
【００１１】
第６に、収納壁１２には収納部１１と箱内のケーキ類収納スペースＳとの間の通気性を確保する通気孔１４を設けてなることを特徴としている。
【００１２】
第７に、天井壁６には上向きに折曲げ起立可能な把手１６を一部切残して半抜き形成して設けたことを特徴としている。
【００１３】
第８に、把手１６を起立させることによって形成される切抜孔２６を、ケーキ類を出し入れする箱の開口部８を覆う前後の周壁４の端部に折曲げ可能に連設した接合フラップ２３を差し込むことによって塞ぐ構造としたことを特徴としている。
【００１４】
第９に、把手１６を起立させることによって形成される切抜孔２６を天井壁６の内面より塞ぐ遮蔽シートを貼付けてなることを特徴としている。
【考案の効果】
【００１５】
以上のように構成される本考案によれば、箱の内面に沿って所定厚みのスペースが安定的に確保された収納部が、箱の組立てによって自動的に形成されるので、ケーキ類等を販売する店頭での収納部の組付作業不要であり、大型の備品も収納できる他、収納壁は一連に形成された上下左右前後の何れかの壁部に連設されているので、別部品を形成したり貼付けたりする工程が不要であり、コスト的に有利である。
【００１６】
収納壁の自由端側を箱内面に接着固定するためののり代を形成し、該のり代を箱の内面側に接着固定するものによれば、備品を収納する収納部を、別途に部材を用意することなく、簡易な工程で設けることができる。
【００１７】
収納部の端部に収納部への備品を挿入する挿入窓を形成したものによれば、挿入窓が箱内にケーキ類等を収容する開口面側に挿入窓が形成されるため、収納部への備品の出し入れを容易に行うことができる。
【００１８】
また、壁部に連設した収納壁の連設端側に、収納部への備品を挿入する挿入窓を切込み形成したものによれば、挿入窓の形成範囲を容易に調整できる。
【００１９】
さらに、挿入窓が箱組立状態では前後左右何れかの周壁によって覆われるものによれば、収納された備品類が収納部から不測に落ちることが防止される。
【００２０】
把手を起立させることによって形成される天井壁の切抜孔は接合フラップ又は遮蔽シートによってふさがれるので、ケーキ類が外部に露出することや内部にゴミ等が入ることを防止できる。
【図面の簡単な説明】
【００２１】
【図１】本考案を適用した包装用紙箱の前方開状態を示す斜視図である。
【図２】本考案を適用した包装用紙箱の後方開状態を示す斜視図である。
【図３】天板の係合部を示した平面図である。
【図４】包装箱の外面展開図である。
【図５】第２実施形態の外面展開図である。
【図６】第３実施形態の外面展開図である。
【図７】第４実施形態の外面展開図である。
【考案を実施するための形態】
【００２２】
以下、本考案の第１実施形態を図１乃至４に基づき説明する。図１及び図２は、本考案を適用した包装用紙箱の前方開状態を示す斜視図、後方開状態を示す斜視図を示し、図３は、天板の係合部を示した平面図である。図示する包装箱（包装用紙箱）１は、全体が紙板（台紙）で形成されており、該紙板に形成された折目を折り曲げて立方体又は直方体状（図示する例では立方体状）の箱に組立て固定することにより形成されている。
【００２３】
前記包装箱１は、図１及び図２に示されるように、正方形又は長方形（図示する例では正方形）の底壁２と、該底壁２の前後左右の端部からそれぞれ起立して向かい合う周壁４と、該左右の周壁４の上端辺同士を連設する天井壁６と、からなる壁部によって構成されており、前記周壁４のうち、前後一対の周壁は、底壁２に対して折り曲げ起伏可能に連設された開閉部７（前側開閉部７Ａ、後側開閉部７Ｂ）に形成されている。
【００２４】
該包装箱１の内部は、デコレーションケーキや和菓子等のケーキ類が収納されるケーキ類収納スペースＳが形成されており、該ケーキ類収納スペースＳは、前後の各開閉部７によって開閉される開口部８（前側開口部８Ａ、後側開口部８Ｂ）を介してケーキ類を収納できる。
【００２５】
また、該ケーキ類収納スペースＳの一端側（図示する例では左側の周壁４Ｌ）には、保冷剤や蝋燭等の備品類が収容可能な収容部１１を設けるための収納壁１２が形成されている。該収納壁１２の前後端には、収納部１１への備品類の出し入れを行うための挿入窓１３（前側挿入窓１３Ａ、後側挿入窓１３Ｂ）が形成されており、特に、前側挿入窓１３Ａには、前側開口部８Ａ側から内部側へ向けて切欠いた切欠部１５によって、備品の出し入れをスムーズに行えるように構成されている。さらに、該収納壁１２の略中央と中央下側には、収納部１１とケーキ類収納スペースＳとの間の通気を可能にする通気孔１４（図示する例では長方形状）が形成されている。
【００２６】
前記天井壁６には、中央側に設けた線状の切残し部から開口部８側へ向けて二重の円弧状（アーチ状）に打抜くことにより、アーチ状のフラップ片である把手１６が形成されている。該把手１６は、反対側の開口部８側へ向けて同様に形成されており、前後に一対設けられている。
【００２７】
前記収納壁１２が連設される周壁４Ｌの前端側には、閉状態の前側開閉部７Ａと重なり合うとともに、前側挿入窓１３Ａを開閉する前端開閉フラップ１７が折り曲げ可能に連設されており、左右他方側の周壁４Ｒの前端側には、閉状態の前開閉部と重なり合う前端フラップ１８が折り曲げ可能に連設されている。
【００２８】
前記収納壁１２が連接される周壁４Ｌの後端側には、閉状態の後側開閉部７Ｂと重なり合うとともに、後側開口部８Ｂの略全体を覆う後端閉塞フラップ１９が折り曲げ可能に連設されている。また、周壁４Ｌの後端を切残して後端閉塞フラップ１９を収納部１１と連通するように打抜くことにより、前記後側挿入窓１３Ｂと、該後側挿入窓１３Ｂを開閉する後端開閉フラップ２１とが形成されている。さらに、左右他方側の周壁４Ｒの後端側には、閉状態の後側開閉部７Ｂと重なり合う後端フラップ２２が折り曲げ可能に連設されている。
【００２９】
前記の開閉部７Ａ，７Ｂは、閉状態において開口部８Ａ，８Ｂを閉じる前後の周壁４と、該周壁４の自由端側（上端側）に折り曲げ可能に連設されて天井壁６側と重なり合う接合フラップ２３とを備えている。そして、各接合フラップ２３の端部側に一対の切込みを入れることにより、中央係止部２４ａと、左右一対の側方係止部２４ｂ，２４ｂとが形成されている。このとき、中央係止部２４ａは、アーチ状の把手１６の内側の切残し辺と略同じ長さとなるように構成されている。
【００３０】
これにより、図３に示すように、開閉部７を上方回動して開口部８を閉じるとともに、前記接合フラップ端部２３の各係合部２４ａ，２４ｂと天井壁６側の把手１６の切残し側とを係合させることにより、開閉部７の閉状態を保持することができる。さらに詳しくは、接合フラップ２３の中央係止部２４ａを、アーチ状の把手１６の根元側に差込んで天井壁６の上面側に露出させるとともに、接合フラップ２３の両側方係止部２４ｂ，２４ｂを、把手１６の折り曲げ箇所の真下であって且つ天井壁６の内面側と接するように差し込むことにより、接合フラップ２３が天井壁６側に係止される。
【００３１】
該構成によれば、半抜き形成された把手１６を起立させることにより天井壁６側に形成されたケーキ類収納スペースＳと連通する把手孔２６が、接合フラップ２３の先端が前後方向から差し込まれることによって自動的に閉じられる（図３参照）ため、包装箱１内に収容されたケーキ類が外気に露出することを効率的に防止できる。
【００３２】
次に、図４に基づき、包装箱の展開図について説明する。図４は、包装箱の外面展開図である。図より、右側の周壁４Ｒの下端側に折り曲げ可能なフラップ片である第１接着片２７が形成されるとともに、底壁２内面側の右端側に該第１接着片２７の外面側と接着する第１接着代２８が形成されている。また、収納壁１２の後端側となる部分に折り曲げ可能なフラップ片である第２接着片（のり代）２９が形成されるとともに、後端閉塞フラップ１９の内面側に第２接着片２９の内面側と接着する第２接着代３１が形成されている。
【００３３】
また、後端閉塞フラップ１９の周壁側には、周壁後端を切残した前記後端開閉フラップ２１が半抜き形成されており、該後端開閉フラップ２１に隣接する位置に前記第２接着代３１が設けられている。さらに、収納壁１２の前端側には、周壁４Ｌ前端を切残した前記前端開閉フラップ１７が半抜き形成され、収納壁１２の前側には、前端開閉フラップ１７の前後方向の中途部に形成された折目３２が形成されている。すなわち、前端開閉フラップ１７により半抜きされた箇所の折目３２より先の切抜きが前記切欠き部１５となる。
【００３４】
このとき、周壁４Ｌ前端から折目３２までの距離と、周壁４Ｌ後端から第２接着代までの距離とは、略同じとなるように構成されている。すなわち、前記収納部１１の備品収納用のスペースは、折目３２で折り曲げられた収納壁１２と、これに連設される周壁４Ｌと、後端閉塞フラップと１９と、によって囲まれる長方形状のスペースによって形成される。
【００３５】
なお、前記収納壁１２の略中央と中央下側には、角丸の長方形状に形成されて収納部１１内の保冷剤の冷気をケーキ類へ効率良く送るための前記通気孔１４が穿設されており、アーチ状の各把手１６の内側辺の略中央位置には、把手１６を起立方向に折り曲げる際に、指を引っ掛け易くするための半円状の切欠き３３が形成されている。
【００３６】
上記構成による包装箱１は、左側の周壁４Ｌに連設された前記第１接着片２７を内側に折り曲げ、該第１接着片２７の内面側を前記第１接着代２８の内面側に接着固定する。また、収納壁１２後端側の第２接着片２９を外側に折り曲げるとともに、収納壁１２前側の折目３２を内側に折り曲げ、第２接着片２９の内面側を後端閉塞フラップ１９内面側の前記第２接着代３１に接着固定する。
【００３７】
これにより、底壁２、周壁４（左側の周壁４）、天井壁６、周壁４（右側の周壁４Ｒ）とが連設された箱状となるため、天井壁６と左右一方側の周壁４、及び底壁２と左右他方側の周壁４が重なるように折畳まれる。また、該包装箱の内側に形成される収納壁１２が一方側の周壁４と、天井壁６又は底壁２の何れか一方との間に挟まれる。このようにして板状に折畳まれた状態（図示しない）で店頭等の現場へと出荷される。
【００３８】
上述の板状に折り畳まれた状態からは、底壁２から左右の周壁４を起立方向に回動させて、前後が開放された方形筒状とし、左右の周壁４の前後端で折畳み可能に連設された各フラップ１７，１８，１９，２２を前後の開口部８側に折り曲げる。このとき、後端閉塞フラップ１９を後側開口部８Ｂ側に折り曲げると、これに伴って、該後端閉塞フラップ１９に接着固定された第２接着片２９が折り曲げられるとともに、収納壁１２前側の折目３２が折り曲げられることにより、収納壁１２、後端閉塞フラップ１９、左側の周壁４Ｌによって囲まれる収納部１１が形成される。言い換えると、現場へ出荷された板状に畳まれた紙板を包装箱１に組立てることによって、内面に沿って所定厚みのスペースであって、保冷剤等の備品を収納できる収納部１１が自動的に形成されるため、ケーキ類等を販売する店頭での組付作業をする必要がなく、収納部１１の形成に手間がかからないものである。
【００３９】
次に、図５に基づき第２実施形態について説明する。図５は、第２実施形態の外面展開図である。図示されるように、収納壁１２及び後方閉塞フラップ１９を、右方側の周壁４Ｒに連設した構成としたことにより、収納部１１を左右方向の右側に設けることができる。
【００４０】
該構成の外面展開図によれば、大きな方形状の台紙に図示した外面展開図を複数形成する場合、台紙上で無駄となるスペースを極力少なくしつつ包装箱となる外面展開図を複数記載できるため、複数の包装箱１を効率良く作成できる。
【００４１】
次に、図６に基づき第３実施形態について説明する。図６は、第３実施形態の外面展開図である。図示されるように、収納壁１２及び後方閉塞フラップ１９を、天井壁６側に連設した構成としたことにより、収納部１２を天井壁６側に設けることができる。このとき、前後の開閉部７を閉じた際に天井壁６側に係合される接合フラップ２３，２３は、前後の挿入窓１３に挿入可能となる幅にまで狭められて形成されている。同様に、前端フラップ１８及び後端フラップ２２の上端側は、天井壁６側に設けられる収納部１１と接触しないように上部側を短く構成している。
【００４２】
該構成により、ケーキ類収納スペースＳの上部側に収納部を設けることができるため、ケーキ類収納スペースの左右幅を極力広くとることができるとともに、収納部１１に収納された保冷剤の冷気を、収納されたケーキ類を上方側から全体へ効率的に送ることができるため、冷却効率が高くなる。
【００４３】
次に、図７に基づき第３実施形態について説明する。図７は、第４実施形態の外面展開図である。図示する例は、図４に示される第１実施形態の外面展開図において、把手１６が形成される壁面位置を収納部１１が連設される壁面位置に変更したものであるため、第３実施形態と同様に把持１６が形成される天井壁６側に収納部１１が設けることができる。このとき、開閉部７は左右方向に折り曲げられることにより、開口部８の開閉状態が切換えられる。
【００４４】
この場合、天井壁６の切抜孔２６に予め遮蔽シート（図示しない）を貼付けることにより、開閉部７を閉状態とした際に、接合フラップ２３が天井壁６側の切抜孔２６を閉じる構成でなくても、収納部及びケーキ類収納スペースＳの密閉性を保つことができる。
【００４５】
以上より、本考案の包装箱の具体的構造例は図１乃至７に４種類示したが、把手と収納部１１を何れの周壁４に対して設けるかの組合せによって自由に選択でき、そのことによって展開形状が異なるものになる。
【符号の説明】
【００４６】
２    底壁
４    周壁
６    天井壁
１１    収納部
１２    収納壁
１３    挿入窓
１４    通気孔
１６    把手
２６    切抜孔
２９    第２接着片（のり代）
Ｓ    ケーキ類収納スペース
【図１】
0003179427.tif 000003
【図２】
0003179427.tif 000004
【図３】
0003179427.tif 000005
【図４】
0003179427.tif 000006
【図５】
0003179427.tif 000007
【図６】
0003179427.tif 000008
【図７】
0003179427.tif 000009